(57)【要約】【課題】  大きな通風路を実現して十分な風量が得られると共に人体への風のドラフト感を低減し快適感を増大することができ、かつ低騒音、高ＣＯＰ（成績係数）が図れる空調装置を提供することを目的とする。【解決手段】  ビル等における真正な窓のない地下室１の一側に空調ユニット２が据え付けられる。この空調ユニット２は、地下室１の一側にぴったり嵌まり合う大きさの箱状のユニットケース３を有し、該ユニットケース３の室内側壁面には地上であれば通常設けられる真正な窓と同等の大きさの模擬窓４とこの模擬窓４の下方に位置して横長スリット状の吸込口５が開口形成される。前記ユニットケース３内には、冷凍サイクルを有した空気調和機７の室内機７ａが設置され、前記吸込口５から吸い込んだ室内空気を前記室内機７ａで空調した後前記模擬窓４から室内へ送風し得るようになっている。【選択図】      図１
2006183901.tif 000002
【特許請求の範囲】
【請求項１】
室内を壁で仕切って収容スペースを画成し、
前記壁に模擬窓と吸込口を設けると共に、
前記収容スペース内に、空気調和機の室内機を設置し、
前記吸込口から吸い込んだ室内空気を前記室内機で空調した後前記模擬窓から室内へ送風することを特徴とする空調装置。
【請求項２】
前記収容スペース内に、前記模擬窓を通して室内から見ることが可能な映像を映し出すスクリーンを設置したことを特徴とする請求項１記載の空調装置。
【請求項３】
前記スクリーンは、薄型大画面ディスプレーであることを特徴とする請求項２記載の空調装置。
【請求項４】
前記スクリーンに映し出される映像を、前記空気調和機の各種運転モードに連動して切り替える制御手段を設けたことを特徴とする請求項２又は３記載の空調装置。
【請求項５】
前記収容スペース内に換気ダクトが接続される換気口を開口したことを特徴とする請求項１，２，３又は４記載の空調装置。
【請求項６】
前記収容スペースは、前記壁を含めて箱状に形成されてユニット化されていることを特徴とする請求項１，２，３，４又は５記載の空調装置。
【発明の詳細な説明】
【技術分野】
【０００１】
本発明は、真正な窓のない室内に適用して好適な空調装置に関する。
【背景技術】
【０００２】
近年、真正な窓のない地下室等において、窓を設けた開放感と清涼感を得るために、「模擬窓」、「仮想窓」等と呼ばれる「人口窓」、あるいはそのための照明器具がいくつか提案されるようになってきた（特許文献１及び特許文献２参照）。
【０００３】
例えば、特許文献２では、窓状枠体と、該窓状枠体の窓部に配する透明体と、該透明体の後方に配する画像パネルと、該画像パネルの背後に配する光源と、前記窓状枠体に一体的に構成する送風通路と、該送風通路に風を送る送風機と、を備える人口窓が開示されている。
【０００４】
【特許文献１】特開２０００−００３６０１号公報
【特許文献２】特開２００２−０８９９１２号公報
【特許文献３】特許第３０２１２２６号公報
【発明の開示】
【発明が解決しようとする課題】
【０００５】
しかしながら、特許文献１や特許文献２に開示された人口窓にあっては、窓状枠体の窓部の全面が透明体及び画像パネルに覆われ、送風機からの風が窓状枠体の一部に開口した送風通路より送風されることから、相対的に風量を増大することが困難であると共に、室内に吹き出す断面積にも自ずと限界があり、人体への風のドラフト感が大きく快適感を十分に得られないという問題点があった。同様に、空気の通路抵抗も大きいことから騒音が大きく高ＣＯＰ（成績係数）が図れないという不具合もあった。また、画像が空調機に連動して切り替わることもないので、擬似的に開放空間の場所にいる錯覚を十分に与えることができず、臨場感も乏しいという欠点もあった。
【０００６】
本発明は、大きな通風路を実現して十分な風量が得られると共に人体への風のドラフト感を低減し快適感を増大することができ、かつ低騒音、高ＣＯＰ（成績係数）が図れる空調装置を提供することを目的とする。
【課題を解決するための手段】
【０００７】
斯かる目的を達成するための本発明に係る空調装置は、室内を壁で仕切って収容スペースを画成し、前記壁に模擬窓と吸込口を設けると共に、前記収容スペース内に、空気調和機の室内機を設置し、前記吸込口から吸い込んだ室内空気を前記室内機で空調した後前記模擬窓から室内へ送風することを特徴とする。
【０００８】
また、前記収容スペース内に、前記模擬窓を通して室内から見ることが可能な映像を映し出すスクリーンを設置したことを特徴とする。
【０００９】
また、前記スクリーンは、薄型大画面ディスプレーであることを特徴とする。
【００１０】
また、前記スクリーンに映し出される映像を、前記空気調和機の各種運転モードに連動して切り替える制御手段を設けたことを特徴とする。
【００１１】
また、前記収容スペース内に換気ダクトが接続される換気口を開口したことを特徴とする。
【００１２】
また、前記収容スペースは、前記壁を含めて箱状に形成されてユニット化されていることを特徴とする。
【発明の効果】
【００１３】
本発明の構成によれば、大きな通風路を実現して相対的に風量を増大することが容易であり、室内へ吹き出す断面積も広いことから人体への風のドラフト感を低減し快適感を増大することができる。また、低騒音、高ＣＯＰ（成績係数）も図れる。
【発明を実施するための最良の形態】
【００１４】
以下、本発明に係る空調装置を実施例により図面を用いて詳細に説明する。
【実施例１】
【００１５】
図１は本発明の実施例１を示す空調装置の側面図、図２は同じく斜視図、図３は同じく制御システム図、図４は同じく映像のマップデータである。
【００１６】
図１及び図２に示すように、ビル等における真正な窓のない地下室１の一側に空調ユニット２が据え付けられる。この空調ユニット２は、地下室１の一側にぴったり嵌まり合う大きさの箱状のユニットケース（収容スペース）３を有し、該ユニットケース３の室内側壁面には地上であれば通常設けられる真正な窓と同等の大きさの模擬窓４とこの模擬窓４の下方に位置して横長スリット状の吸込口５が開口形成される。図示例では、模擬窓４はカーテン６によって開閉されるようになっている。
【００１７】
前記ユニットケース３内には、冷凍サイクルを有した空気調和機（空調機）７の室内機７ａが吸込みファン８と共に設置され、前記吸込口５から吸い込んだ室内空気を前記室内機７ａで空調した後前記模擬窓４から室内へ送風し得るようになっている。尚、空気調和機７は、圧縮機と四方切換弁と室内熱交換器と二組のキャピラリチューブ及び電磁弁と再熱器と室外熱交換器等とから冷媒回路が構成され、暖房運転時には再熱器と室内熱交換器が凝縮器として機能し、冷房運転時には再熱器と室内熱交換器が蒸発器として機能する特許文献３等により公知のものである。そのうちの再熱器と室内熱交換器とが前述した室内機７ａを構成する。
【００１８】
また、前記ユニットケース３内には、スクリーン９が斜め下向きに設置され、同じくユニットケース３内に装備されたプロジェクター１０によって映し出された映像が前記模擬窓４を通して室内から見えるようになっている。
【００１９】
前記プロジェクター１０は、図３に示すように、空気調和機７と共にマイクロコンピュータ等からなる制御装置（制御手段）１１を介してリモコン１２により操作される。そして、前記プロジェクター１０により映し出される映像は、空気調和機７の各種運転モードに連動して切り換えられる。即ち、制御装置１１には、図４に示すように、リモコン１２により選択・設定される各種運転モードと各種設定に応じた映像データが予めマップとして組み込まれているのである。
【００２０】
このように構成されるため、地下室１内にいる人がリモコン１２により例えば暖房モードを選択すると共に急速暖房を設定すると、空気調和機７は「温度高」で「風量大」の運転が行われる（図４参照）。即ち、ユニットケース３内の室内機７ａは凝縮器として機能し、吸込口５から吸い込んだ室内空気を除湿暖房（空調）した後ユニットケース３内を反転させて模擬窓４から室内へ送風するのである。同時に、スクリーン９には、プロジェクター１０により暖房感の大きい映像データが映し出される。
【００２１】
この際、本実施例では、横長スリット状の吸込口５とユニットケース３内空間と模擬窓４による大きな通風路を形成するので、相対的に風量を増大することが容易であり、模擬窓４により室内へ吹き出す断面積も広いことから人体への風のドラフト感を低減し快適感を増大することができる。また、空気の通路抵抗も小さいので、低騒音、高ＣＯＰ（成績係数）も図れる。
【００２２】
そして、スクリーン９には、空気調和機７の上述した運転状態に応じた暖房感の大きい映像データ（画像）が映し出されるので、視覚よりその温度効果を増大できると共に擬似的に開放空間の場所にいる錯覚を与えることができ、臨場感を盛り上げられる。
【００２３】
また、本空調装置は、空調ユニット２としてユニット化されているので、後付けで容易に据え付けられる。そして、プロジェクター１０や室内機７ａはユニットケース３内に収容されて地下室１内に置かれないことで、インテリア設計上の自由度が広げられる。
【実施例２】
【００２４】
図５は本発明の実施例２を示す空調装置の斜視図である。
【００２５】
これは、実施例１における空調ユニット２のユニットケース３を三角箱状に形成して地下室１のコーナー部に設置し、省スペース化を図った例である。その他の構成は実施例１と同様なので、図２と同一部材には同一符号を付して重複する説明は省略する。
【実施例３】
【００２６】
図６は本発明の実施例３を示す空調装置の側断面図である。
【００２７】
これは、実施例１における空調ユニット２のユニットケース３に地下室１内の換気を行うための換気ダクト１３ａ，１３ｂを一体的に集約して形成し、インテリア設計上の自由度を増大させるようにした例である。その他の構成は実施例１と同様なので、図１と同一部材には同一符号を付して重複する説明は省略する。
【実施例４】
【００２８】
図７は本発明の実施例４を示す空調装置の側断面図である。
【００２９】
これは、実施例１におけるスクリーン９に代えて薄型大画面ディスプレー（大型液晶ディスプレー等）１４を設置してユニットケース３の奥行きを小さくして省スペース化を図った例である。また、この実施例では、映像に同調した音によりさらに臨場感が高まる利点がある。その他の構成は実施例１と同様なので、図１と同一部材には同一符号を付して重複する説明は省略する。
【００３０】
尚、本発明は上記各実施例に限定されず、本発明の要旨を逸脱しない範囲で各種変更が可能であることはいうまでもない。例えば、スクリーン９に画像を映し出すプロジェクター１０に代えて他の映写装置を用いて良い。また、制御装置１１において、映像データとしてマップを用いずに映像データをインターネットから取り込めるようにしても良い。また、本発明の空調装置はユニット化しないで地下室内を壁で仕切って収容スペースを画成し、前記壁に模擬窓と吸込口を設けると共に前記収容スペース内に室内機とスクリーンを設置しても良い。
【図面の簡単な説明】
【００３１】
【図１】本発明の実施例１を示す空調装置の側断面図である。
【図２】同じく斜視図である。
【図３】同じく制御システム図である。
【図４】同じく映像のマップデータである。
【図５】本発明の実施例２を示す空調装置の斜視図である。
【図６】本発明の実施例３を示す空調装置の側断面図である。
【図７】本発明の実施例４を示す空調装置の側断面図である。
【符号の説明】
【００３２】
１  地下室
２  空調ユニット
３  ユニットケース
４  模擬窓
５  吸込口
６  カーテン
７  空気調和機
７ａ  室内機
８  吸込みファン
９  スクリーン
１０  プロジェクター
１１  制御装置
１２リモコン
１３ａ，１３ｂ  換気ダクト
１４  薄型大画面ディスプレー
【図１】
2006183901.tif 000003
【図２】
2006183901.tif 000004
【図３】
2006183901.tif 000005
【図４】
2006183901.tif 000006
【図５】
2006183901.tif 000007
【図６】
2006183901.tif 000008
【図７】
2006183901.tif 000009